(57)【特許請求の範囲】
【請求項１】
モジュラプラグが着脱自在に挿入されるプラグ挿入口が開口した接続台および外部回路が接続される端子台を備えるハウジングと、端子台に突設され先端縁の開放された圧接スリットを有するフォーク状に形成されている圧接形の複数個の端子片と、プラグ挿入口を通してハウジングに挿入されたモジュラプラグの接触子に弾接するようにハウジング内に配列され各端子片にそれぞれ電気的に接続された複数本のコンタクトと、端子台に被さる第１の位置と端子台を開放する第２の位置との間で起伏自在となるようにハウジングに設けられた一対の軸受台にそれぞれ枢着され、外部回路を接続する電線を各端子片に対応付けて整列させる一対の整列部材と、整列部材が第２の位置から第１の位置まで移動する際に整列部材に押圧されて電線を端子片の圧接スリットに押し込む一対の押さえ部材とを備えて成り、各整列部材がハウジングに対して誤った位置に枢着されることを防止する防止手段を備え、該防止手段は、各整列部材の異なる側の周縁から突設された突条と、軸受台に設けられ、正規の位置に枢着された整列部材の突条が嵌る溝部とで構成されることを特徴とするモジュラジャック。
【請求項２】
押さえ部材を整列部材に一体に設けて成ることを特徴とする請求項１記載のモジュラジャック。
【請求項３】
ハウジングは、接続台を備えるとともに接続台から延長されたベースを備えるボディと、接続台に一部が挿入されるとともに残りの部分がベース上に配置された形でボディに結合される挿入体とからなり、端子片およびコンタクトが挿入体に保持されて成ることを特徴とする請求項１又は２記載のモジュラジャック。
【請求項４】
挿入体のうち接続台に挿入される部位の両側面と、接続台において挿入体の上記両側面に対向する部位とには、挿入体と接続台とを凹凸係合させることにより挿入体を接続台に固定する結合手段が形成されて成ることを特徴とする請求項３記載のモジュラジャック。
【請求項５】
整列部材にはロック溝が形成され、端子台には整列部材が第１の位置に位置するときにロック溝に係合して整列部材を保持するロック突起が形成されて成ることを特徴とする請求項１〜４の何れかに記載のモジュラジャック。
【請求項６】
整列部材をハウジングに着脱自在に枢着して成ることを特徴とする請求項１〜５の何れかに記載のモジュラジャック。
【請求項７】
電線を整列させる際に電線を保持する保持手段を整列部材に設けたことを特徴とする請求項１〜６の何れかに記載のモジュラジャック。
【請求項８】
整列部材がハウジングに枢着される際に整列部材が正規の状態に枢着されていない場合には整列部材を第１の位置まで移動させることができないようにする保護手段を備えたことを特徴とする請求項６又は７記載のモジュラジャック。
【請求項９】
整列部材に整列された電線の芯線の延長線上からハウジングに枢着される整列部材の軸部をずらして成ることを特徴とする請求項１〜８の何れかに記載のモジュラジャック。
【発明の詳細な説明】
【０００１】
【発明の属する技術分野】
本発明は、主として通信用であって複数対のツイストペア線が接続されるモジュラジャックに関するものである。
【０００２】
【従来の技術】
従来より、通信ケーブルを相互にあるいは他の装置に接続するためにモジュラジャックが用いられている。とくに、EthernetによるＬＡＮ（ローカルエリアネットワーク）システムを構築する上で、比較的短距離の通信用であれば４対８芯のツイストペア線をシースに収納したツイストペアケーブルが広く用いられている（１０ＢＡＳＥ−Ｔなど）。この種のケーブルは、比較的安価でありケーブルが細いから配線しやすいという利点がある。
【０００３】
ところで、モジュラジャックはモジュラプラグが着脱自在に挿入されるプラグ挿入口を備えたハウジングを有し、ハウジング内にはプラグ挿入口を通してハウジングに挿入されたモジュラプラグの接触子に接触可能なコンタクトが配列されている。また、ハウジングには上述したツイストペア線のような電線と接続するための端子部が設けられ、コンタクトと端子部とは電気的に接続されている。端子部としては一対の歯の間に圧接スリットを有するフォーク状に形成され電線を圧接スリットに導入することによって電線の絶縁被覆を剥ぎながら芯線を挟み込む形式の圧接形の端子片が結線の容易さから多用されている。
【０００４】
【発明が解決しようとする課題】
ところが、上述のような圧接形の端子片を備えるモジュラジャックでは、電線を端子片の圧接スリットに圧入する際に端子片の圧接スリットの両側縁で電線の絶縁被覆を剥ぎながら芯線を挟み込むから、電線を端子片に圧入するには所要の力が必要である。そこで、現状では端子片に被さるようなキャップ状の専用の治具を用い、プライヤのような汎用工具を用いて治具を端子片側に押すことによって治具により電線を端子片の圧接スリットに押し込むようにしている。つまり、電線を端子片に接続するには、専用の治具とプライヤのような工具とが必要になる。また、上述のように４対８芯の電線を接続するときには電線を１本ずつ接続すると面倒であるから複数本をまとめて接続する方が結線作業の効率がよいはずであるが、このように結線作業を行おうとすると、複数本の電線を端子片の配列順に合わせて整列させた状態で電線を保持する必要があり、結果的に結線作業がやりにくくなる。
【０００５】
本発明は上記事由に鑑みて為されたものであり、その第１の目的は、圧接形の端子片を備えながらも専用の治具や工具を用いることなく比較的小さい力で結線作業が行なえるモジュラジャックを提供することにあり、第２の目的は、端子片に対応付けて電線を整列する作業が容易で、且つ結線まで保持することが容易であるモジュラジャックを提供することにある。
【０００６】
【課題を解決するための手段】
請求項１の発明は、上記目的を達成するために、モジュラプラグが着脱自在に挿入されるプラグ挿入口が開口した接続台および外部回路が接続される端子台を備えるハウジングと、端子台に突設され先端縁の開放された圧接スリットを有するフォーク状に形成されている圧接形の複数個の端子片と、プラグ挿入口を通してハウジングに挿入されたモジュラプラグの接触子に弾接するようにハウジング内に配列され各端子片にそれぞれ電気的に接続された複数本のコンタクトと、端子台に被さる第１の位置と端子台を開放する第２の位置との間で起伏自在となるようにハウジングに設けられた一対の軸受台にそれぞれ枢着され、外部回路を接続する電線を各端子片に対応付けて整列させる一対の整列部材と、整列部材が第２の位置から第１の位置まで移動する際に整列部材に押圧されて電線を端子片の圧接スリットに押し込む一対の押さえ部材とを備えて成り、各整列部材がハウジングに対して誤った位置に枢着されることを防止する防止手段を備え、該防止手段は、各整列部材の異なる側の周縁から突設された突条と、軸受台に設けられ、正規の位置に枢着された整列部材の突条が嵌る溝部とで構成されることを特徴とし、整列部材によって電線を容易に整列させることができるとともに、電線を整列させた状態で整列部材を第１の位置に移動させるように操作すれば、整列部材に押圧された押さえ部材が電線を端子片の圧接スリットに圧入するため、整列部材の操作のみによって電線を端子片に接続することができ、別途の治具や工具を必要としないものである。しかも、整列部材をハウジングに枢着したことによって、梃子の原理を用いて整列部材により押さえ部材を押圧することができるから、比較的に小さな力で電線の接続作業が可能になるものである。また、１つの整列部材で接続する電線の本数が減少するため、整列部材を第１の位置に移動させるに要する力が小さくなり、しかも、各整列部材で各々同数の電線を整列させる場合に、整列部材に設けた突条とハウジングに設けた溝部からなる防止手段によって各配列部材がハウジングに対して誤った位置に枢着されることが防止できる。
【０００７】
請求項２の発明は、請求項１の発明において、押さえ部材を整列部材に一体に設けて成ることを特徴とし、部品点数の削減による構造の簡素化並びに組立の容易化が図れる。
請求項３の発明は、請求項１又は２の発明において、ハウジングが、接続台を備えるとともに接続台から延長されたベースを備えるボディと、接続台に一部が挿入されるとともに残りの部分がベース上に配置された形でボディに結合される挿入体とからなり、端子片およびコンタクトが挿入体に保持されて成ることを特徴とし、ボディと挿入体との間に導電部分となるような他の部材を容易に組み込むことができる。また、一般にハウジングの材料として用いる合成樹脂を成形する際に、比較的簡単な形状の二つの部材を成形した後に組み立てればよいから、製造が容易になり生産性の向上につながる。
【０００８】
請求項４の発明は、請求項３の発明において、挿入体のうち接続台に挿入される部位の両側面と、接続台において挿入体の上記両側面に対向する部位とには、挿入体と接続台とを凹凸係合させることにより挿入体を接続台に固定する結合手段が形成されて成ることを特徴とし、組立作業に際してねじや接着剤のような別途の結合手段を必要とせず、組立作業が容易になる。
【０００９】
請求項５の発明は、請求項１〜４の何れかの発明において、整列部材にはロック溝が形成され、端子台には整列部材が第１の位置に位置するときにロック溝に係合して整列部材を保持するロック突起が形成されて成ることを特徴とし、整列部材を第１の位置に保持することができ、電線を接続した状態で整列部材が端子台から浮き上がるのを防止することができる。このことによって、整列部材に外力が作用したり電線に張力が作用することによる端子台からの浮き上がりを防止することができ、電線の接続信頼性が高くなる。
【００１０】
請求項６の発明は、請求項１〜５の何れかの発明において、整列部材をハウジングに着脱自在に枢着して成ることを特徴とし、整列部材に電線を整列させる際にハウジングから取り外して作業できるため、ハウジングが邪魔になることがなく、整列作業が容易になる。
【００１１】
請求項７の発明は、請求項１〜６の何れかの発明において、電線を整列させる際に電線を保持する保持手段を整列部材に設けたことを特徴とし、整列部材に電線を整列させた後、端子片に対する接続作業が完了するまでの間、保持手段によって電線を整列部材に保持しておくことができ、電線を手で保持する場合に比べて接続作業が容易になる。
【００１２】
請求項８の発明は、請求項６又は７の発明において、整列部材がハウジングに枢着される際に整列部材が正規の状態に枢着されていない場合には整列部材を第１の位置まで移動させることができないようにする保護手段を備えたことを特徴とし、整列部材が正規の状態に枢着されていない場合には、保護手段によって整列部材を第１の位置まで移動させることができず、整列部材の不正な操作や電線の接続不良等が防止できる。
【００１３】
請求項９の発明は、請求項１〜８の何れかの発明において、整列部材に整列された電線の芯線の延長線上からハウジングに枢着される整列部材の軸部をずらして成ることを特徴とし、整列部材に電線を整列させる際に整列部材の軸部が邪魔にならず、スムーズ且つ容易に整列作業が行える。
【００１４】
【発明の実施の形態】
以下に示すモジュラジャックは、図２〜図４に示すように、絶縁材料である合成樹脂の成形品よりなるボディ１０および挿入体２０からなるハウジングを備え、挿入体２０はコンタクト３１と端子片３２とを接続導体３３を介して電気的に接続した導電体３０（図５参照）を保持する。導電体３０は８本設けられ、弾性を有する板金を打ち抜くことにより形成されている。
【００１５】
ボディ１０は、モジュラプラグが挿入されるプラグ挿入口１３が前面に開口した接続台１１と、接続台１１の後面下部から後方に延長されたベース１２とを連続一体に備える。接続台１１は中空に形成され、後壁の下部には挿入体２０の挿入される取付孔１４が開放される（図２参照）。また、接続台１１の後壁には取付孔１４の上縁に臨むように櫛歯状の分離スリット１５が形成されている。
【００１６】
挿入体２０は、前端部にコンタクト３１を保持するコンタクト支持台２１を有する基部２０ａと、基部２０ａの上面に突設されて端子片３２が上面側に突出する一対の端子台２２1 ，２２2 とを備える。また、基部２０ａの前端部近傍の上面には、コンタクト支持台２１と端子台２２1 ，２２2 とを仕切る形で一対の軸受台２３1 ，２３2 が突設されている。
【００１７】
ボディ１０に挿入体２０を結合するには、コンタクト支持台２１を取付孔１４に挿入する。挿入体２０のコンタクト支持台２１の両側面下部には係合突条２１ａが突設されており、ボディ１０の接続台１１の内側面には係合突条２１ａに係合した状態で挿入体２０を案内する係合溝１１ａが形成されている。したがって、係合突条２１ａを係合溝１１ａに係合させた状態で挿入体２０を前方にスライド移動させると、挿入体２０をボディ１０に対して位置規制しながら所定位置まで挿入することができる。
【００１８】
挿入体２０が定位置まで挿入されると挿入体２０の軸受台２３1 ，２３2 の前面が接続台１１の後面に当接し、挿入体２０がボディ１０に対して位置決めされる（図３及び図４参照）。つまり、軸受台２３1 ，２３2 の前面は挿入体２０のボディ１０に対する挿入量を規制するように機能する。また、コンタクト支持台２１には前端部から後上方に向かってコンタクト３１が突設されており、挿入体２０のコンタクト支持台２１をボディ１０の接続台１１に挿入すると、各コンタクト３１がそれぞれ分離スリット１５に導入される。挿入体２０の軸受台２３1 ，２３2 が接続台１１の後面に当接した位置でコンタクト３１の後端部は分離スリット１５に挿入された状態に保たれ、コンタクト３１が相互に接触するのが防止される。このようにコンタクト３１が接続台１１に挿入されることにより、プラグ挿入口１３を通して接続台１１に挿入されるモジュラプラグの接触子に対してコンタクト３１が弾接可能となるのである。
【００１９】
この状態において、挿入体２０のコンタクト支持台２１の後部両側面に設けた抜止突起２１ｃが、接続台１１の後部両側面に設けた抜止孔１１ｃに係合することによって、ボディ１０と挿入体２０とが固定される。つまり、抜止突起２１ｃおよび抜止孔１１ｃはボディ１０と挿入体２０とを結合する結合手段として機能する。
【００２０】
上述のように、係合溝１１ａに係合突条２１ａが係合するとともに取付孔１４にはコンタクト支持台２１が係合し、接続台１１には軸受台２３1 ，２３2 が当接するから、ボディ１０と挿入体２０とが相互に位置決めされる。しかも挿入体２０がボディ１０に所定位置まで挿入された状態では、抜止突起２１ｃが抜止孔１１ｃに係合するから、ボディ１０に対して挿入体２０が定位置に固定される。また、挿入体２０がボディ１０に結合された状態で、挿入体２０の後部はベース１２の上に載置される。
【００２１】
本実施形態に示すモジュラジャックは、４対８芯のツイストペアケーブル１を接続するものであって、８本の導電体３０を挿入体２０に保持させている。各導電体３０の端子片３２は、各端子台２２1 ，２２2 の上面からそれぞれ４本ずつ、前後２列に配列されて突出している。端子片３２は一対の歯の間に上端縁を開放した圧接スリット３２ａを有するフォーク状に形成された圧接形のものであって、圧接スリット３２ａの幅は接続する電線２の芯線に圧接スリット３２ａの両側縁が圧接する程度に設定されている。つまり、絶縁被覆を有する電線２を圧接スリット３２ａに上方から圧入すると、電線２の絶縁被覆を圧接スリット３２ａの両側縁で切ることにより絶縁被覆を剥ぎながら圧接スリット３２ａの中に電線２の芯線を導入し、圧接スリット３２ａの両側縁間に芯線を挟持するのである。
【００２２】
端子片３２では電線２の絶縁被覆を圧接スリット３２ａの両側縁で切る必要があるから、端子片３２の先端部を他の部分よりも薄肉とすることが望ましい。すなわち、端子片３２の先端部を上記形状とすれば、電線２の絶縁被覆をより容易に切ることができ、結果的に端子片３２に電線２を圧入する際に要する力が軽減されることになる。
【００２３】
ところで、別途の工具や治具を用いることなく上述した端子片３２に電線２を接続可能とするために、本発明においては、複数本の電線２を整列させる整列機能と、整列させた電線を保持する保持機能と、電線２を端子片３２の圧接スリット３２ａに圧入する圧入機能とを兼ね備えた一対の整列部材４０1 ，４０2 を設けてある。
【００２４】
各整列部材４０1 ，４０2 は、挿入体２０の基部２０ａ上面に突設した１対の軸受台２３1 ，２３2 が具備する軸受部２４に対して、回転軸４１によって軸着されることによりハウジングに対して起伏自在に成っている。つまり、整列部材４０1 ，４０2 は端子台２２を覆う位置（以下、「第１の位置」と呼ぶ。）と開放する位置（以下、「第２の位置」と呼ぶ。）との間で起伏することができるのである。整列部材４０1 ，４０2 は長手方向の一端部に突設した左右一対のアーム片４２の間に軸受台２３1 ，２３2 を挟んだ形でハウジングに枢着され、回転軸４１が一対のアーム片４２の先端部分に穿設された挿通孔４２ａに挿通された状態でアーム片４２に固定されている。また、後述するように上記第２の位置ではハウジングから整列部材４０1 ，４０2 が着脱自在となっている。
【００２５】
整列部材４０1 ，４０2 は、３つの分離壁４３で分離されて溝状に形成される４個の分離通路４４1 〜４４4 を有し、各分離壁４３には電線２を保持するための固定突起４５が両側面の開口端部に形成されている。これらの分離通路４４1 〜４４4 には電線２がそれぞれ１本ずつ挿通される。なお、分離壁４３に形成される固定突起４５は、分離通路４４1 〜４４4 を挟んで互いに対向しないようにずらした位置に配置してある。そのため、分離壁４３の弾性に期待しなくても、電線２を分離通路４４1 〜４４4 内に挿入し且つ固定突起４５に係止させることができ、線径の異なる電線２にも対応し易いものである。また、分離通路４４1 〜４４4 は、分離壁４３が一対の溝４７（後述する）で分断されることで２つの部分に分割されており、その前方側の部分（アーム片４２に近い方の部分）が一対のアーム片４２の間の部位から略鉛直方向に開口させてあり、分離通路４４1 〜４４4 に挿通されて保持された電線２の先端部分が略直角に曲げられて上記開口から突出するため、分離通路４４1 〜４４4 に挿通されて固定突起４５で係止固定された電線２がその位置で保持されることになる（図４（ｂ）参照）。さらに、各分離通路４４1 〜４４4 は、アーム片４２に固定される回転軸４１から上面側へずれた位置に形成されている。すなわち、各分離通路４４1 〜４４4 に整列された電線２の芯線の延長線が回転軸４１から上面へずらしてあるので、電線２を整列させる際に回転軸４１が邪魔になることがないものである。
【００２６】
ところで、整列部材４０1 ，４０2 は分離通路４４1 〜４４4 に導入した電線２を端子片３２に圧入するものであるから、整列部材４０1 ，４０2 が下方に移動したときに電線２を端子片３２の圧接スリット３２ａに圧入することができるように、押さえ部４６ａ〜４６ｃを備えている。押さえ部４６ａ〜４６ｃは、分離通路４４1 〜４４4 の上面に形成されており、前後に隣合う押さえ部４６ａ〜４６ｃの間に端子片３２の上端部が導入されるように、分離通路４４1 〜４４4 の上面には端子片３２を導入する一対の溝４７が形成されている。すなわち、端子片３２は上述のように前後２列に配列されているから、前後各列の端子片３２の間に対応する位置に押さえ部４６ａが設けられるとともに、この押さえ部４６ａに対して前後各列の端子片３２を挟んで位置する押さえ部４６ｂ，４６ｃが設けられる。押さえ部４６ａ〜４６ｃをこのように配置することによって、端子片３２の前後であって端子片３２に近い距離で電線２に押圧力を作用させることができるから、一対の押さえ部４６ａ〜４６ｃの間で電線２を撓ませることなく端子片３２に圧入することができる。つまり、整列部材４０1 ，４０2 の押圧力を電線２に効率よく伝達することができる。なお、本実施形態においては、上述のように整列部材４０1 ，４０2 に対して電線２に押圧力を加える押さえ部材を押さえ部４６ａ〜４６ｃとして一体に形成しており、整列部材と押さえ部材とを別体に形成する場合に比較して、部品点数の削減による構造の簡素化並びに組立の容易化が図れるという利点がある。
【００２７】
ここで、図１に示すように整列部材４０1 ，４０2 は第２の位置（挿入体２０の基部２０ａに対して倒立した状態）でハウジングの軸受台２３1 ，２３2 に着脱自在に取付並びに取外しが可能になっている。すなわち、上記倒立状態で回転軸４１を軸受台２３1 ，２３2 の軸受部２４の開口端より挿入し（図１（ａ）参照）、さらに整列部材４０1 ，４０2 を第２の位置から第１の位置の方へ回動させながら回転軸４１を軸受部２４の奥側へ押し込めば（図１（ｂ）参照）、軸受部２４に回転軸４１を嵌入して整列部材４０1 ，４０2 を軸受台２３1 ，２３2 に枢着できる。このように、整列部材４０1 ，４０2 がハウジングから取り外せるようになっているので、分離通路４４1 〜４４4 に電線２を挿入して保持させる際に整列部材４０1 ，４０2 をハウジングから取り外して作業ができて効率がよいものである。
【００２８】
一方、整列部材を２つの整列部材４０1 ，４０2 に分割して設けていると、電線２を導入した後で各整列部材４０1 ，４０2 が対応する軸受台２３1 ，２３2 に正しく取り付けられずに入れ替わって取り付けられるおそれがある。仮に２つの整列部材４０1 ，４０2 が入れ替わって取り付けられると、結線ができなかったり、端子片３２に対して電線２が入れ替わったりして正しく配線されないという不都合が生じる。
【００２９】
そこで、本実施形態においては、各整列部材４０1 ，４０2 が対応しない軸受台２３1 ，２３2 に誤って枢着されることを防止するための防止手段を備えている。この防止手段は、各整列部材４０1 ，４０2 の異なる側のアーム片４２の挿通孔４２ａの内側周縁から突設された突条４２ｂと、軸受台２３1 ，２３2 の外側側面に軸受部２４に沿って設けられた段状の溝部２４ａとで構成される。而して、整列部材４０1 ，４０2 を正規の軸受台２３1 ，２３2 に取り付ける場合には、アーム片４２の突条４２ｂが軸受台２３1 ，２３2 の溝部２４ａに嵌まることで容易に取り付けることができるが、整列部材４０1 ，４０2 が軸受台２３1 ，２３2 に入れ替わって取り付けられようとすると、突条４２ｂが軸受台２３1 ，２３2 の側面に当接して回転軸４１を軸受部２４に挿入することができないことから、整列部材４０1 ，４０2 の誤枢着が防止できるものである。
【００３０】
また、整列部材４０1 ，４０2 を第２の位置から第１の位置まで回動するとき、押さえ部４６ａ〜４６ｃの間に設けた溝４７に端子片３２が導入されるためには、回転軸４１が軸受部２４に対して正しい位置に収まっている必要がある。そこで、回転軸４１が軸受部２４の正しい位置まで押し込まれていないときに、整列部材４０1 ，４０2 の回動によって端子台２２の前面に当接する当接部４８が整列部材４０1 ，４０2 に設けてある。これにより、回転軸４１が軸受部２４の正しい位置まで押し込まれていない状態で整列部材４０1 ，４０2 を第２の位置へ回動させても、当接部４８が端子台２２の前面に当接して軸受部２４の奥側へ押されることから、回転軸４１が軸受部２４の正しい位置にまで押し込まれるようになっている。なお、当接部４８の当接面４８ａはテーパ面としてあり、当接部４８が端子台２２1 ，２２2 に当接した状態でも整列部材４０1 ，４０2 がスムーズに回動できるようになっている。
【００３１】
整列部材４０1 ，４０2 の後部内側側面にはロック溝４９が形成されており、挿入体２０の基部２０ａにおける上面後端部にはロック溝４９に係脱自在に係合可能な一対のロック突起２５が立設されている。ロック突起２５は整列部材４０1 ，４０2 が第１の位置に回動されたときにロック溝４９と係合し固定するようになっている。ロック突起２５の下部には解除突起２６が突設されており、指やドライバの先等で解除突起２６を押すことでロック溝４９からロック突起２５を外し、ロックを解除することができる。
【００３２】
ツイストペアケーブル１を上述したモジュラジャックに接続するには以下のように行う。
まず、図７に示すように各整列部材４０1 ，４０2 の下側から分離通路４４1 〜４４4 内に電線２を挿入し、固定突起４５…に電線２を係止固定する。それから、電線２の先端部分を略直角に折り曲げて上方に開口した分離通路４４1 〜４４4 の開口部より突出させる。
【００３３】
上述のようにして電線２を各４本ずつ整列させて保持した整列部材４０1 ，４０2 をハウジングの軸受台２３1 ，２３2 に枢着する。この状態で整列部材４０1 ，４０2 を第２の位置から第１の位置へ倒すと、整列部材４０1 ，４０2 に一体に設けられた押さえ部４６ａ〜４６ｃによって電線２に押圧力が印加され、端子片３２の圧接スリット３２ａに電線２が圧入されて端子片３２に電線２が接続されるのである。
【００３４】
反対に、整列部材４０1 ，４０2 を第１の位置から第２の位置に回動させて起こすと、整列部材４０1 ，４０2 に保持された電線２は端子片３２の圧接スリット３２ａから抜き取られて、容易に結線を解除することができる。なお、整列部材４０1 ，４０2 の上面後端部は、押さえ易いように緩やかに面取りされている。
【００３５】
また、整列部材４０1 ，４０2 の支点である回転軸４１から押圧力の作用点である押さえ部４６ａ〜４６ｃまでの距離に比較して、整列部材４０1 ，４０2 に押圧力を作用させる整列部材４０1 ，４０2 の後端部までの支点からの距離を十分に大きくとることができるから、比較的小さい力で各電線２を圧接スリット３２ａに押し込むことができる。しかも、８本の電線２を接続するに際して４本ずつに分けているので、８本同時に接続する場合に比較すると接続に要する力は小さく、結果的に整列部材４０1 ，４０2 の長さを短くできる。つまり、小型化につながることになる。さらに整列部材４０1 ，４０2 に指を当てハウジングと整列部材４０1 ，４０2 を挟むように力を加えるだけで、各電線２を圧接スリット３２ａに押し込むことができるから、別途の治具や工具が不要であって、モジュラジャックのみで結線作業が行える。電線２が端子片３２に接続されるとハウジングに立設されたロック突起２５が整列部材４０1 ，４０2 のロック溝４９に係合するから整列部材４０1 ，４０2 が不用意に開くことがなく電線２を端子片３２に接続した状態が保たれる。
【００３６】
端子片３２は８個設けることにより、４対のツイストペア線を接続可能にしてあり、各対のツイストペア線は左右方向において隣接する前後各１個ずつの端子片３２に接続される。すなわち、後列の左端の端子片３２と、前列の左端の端子片３２とに対してツイストペア線として対になる２本の電線２が接続され、後列の左端から２番目と前列の左端から２番目との２個の端子片３２にツイストペア線として対になる２本の電線２が接続され、残りの電線２も同様に対ごとに隣合うように接続される。
【００３７】
さらに、導電体３０はコンタクト３１と接続導体３３との左右方向での配列順を適宜に入れ換え、また接続導体３３の幅や相互間の距離を調節することによって各ツイストペア線間での漏話量が少なくなるように設計してある。とくに、コンタクト３１と接続導体３３との左右方向での配列順を適宜に入れ換えているから、モジュラプラグを接続した状態では、モジュラプラグにおいて生じる不平衡電流に対して逆位相の不平衡電流が接続導体３３で生じることになり両者の不平衡電流が打ち消しあうことによって漏話量が低減されることになる。
【００３９】
【発明の効果】
請求項１の発明は、モジュラプラグが着脱自在に挿入されるプラグ挿入口が開口した接続台および外部回路が接続される端子台を備えるハウジングと、端子台に突設され先端縁の開放された圧接スリットを有するフォーク状に形成されている圧接形の複数個の端子片と、プラグ挿入口を通してハウジングに挿入されたモジュラプラグの接触子に弾接するようにハウジング内に配列され各端子片にそれぞれ電気的に接続された複数本のコンタクトと、端子台に被さる第１の位置と端子台を開放する第２の位置との間で起伏自在となるようにハウジングに設けられた一対の軸受台にそれぞれ枢着され、外部回路を接続する電線を各端子片に対応付けて整列させる一対の整列部材と、整列部材が第２の位置から第１の位置まで移動する際に整列部材に押圧されて電線を端子片の圧接スリットに押し込む一対の押さえ部材とを備えて成り、各整列部材がハウジングに対して誤った位置に枢着されることを防止する防止手段を備え、該防止手段は、各整列部材の異なる側の周縁から突設された突条と、軸受台に設けられ、正規の位置に枢着された整列部材の突条が嵌る溝部とで構成されるので、整列部材によって電線を容易に整列させることができるとともに、電線を整列させた状態で整列部材を第１の位置に移動させるように操作すれば、整列部材に押圧された押さえ部材が電線を端子片の圧接スリットに圧入するため、別途の治具や工具を必要とせずに整列部材の操作のみによって電線を端子片に接続することができ、しかも、整列部材をハウジングに枢着したことによって、梃子の原理を用いて整列部材により押さえ部材を押圧することができるから、比較的に小さな力で電線の接続作業が可能になり、また、１つの整列部材で接続する電線の本数が減少するため、整列部材を第１の位置に移動させるに要する力が小さくなるとともに、各整列部材で各々同数の電線を整列させる場合に、整列部材に設けた突条とハウジングに設けた溝部からなる防止手段によって各配列部材がハウジングに対して誤った位置に枢着されることが防止できるという効果がある。
【００４０】
請求項２の発明は、押さえ部材を整列部材に一体に設けて成るので、部品点数の削減による構造の簡素化並びに組立の容易化が図れるという効果がある。
請求項３の発明は、ハウジングが、接続台を備えるとともに接続台から延長されたベースを備えるボディと、接続台に一部が挿入されるとともに残りの部分がベース上に配置された形でボディに結合される挿入体とからなり、端子片およびコンタクトが挿入体に保持されて成るので、ボディと挿入体との間に導電部分となるような他の部材を容易に組み込むことができるとともに、一般にハウジングの材料として用いる合成樹脂を成形する際に、比較的簡単な形状の二つの部材を成形した後に組み立てればよいから、製造が容易になり生産性の向上につながるという効果がある。
【００４１】
請求項４の発明は、挿入体のうち接続台に挿入される部位の両側面と、接続台において挿入体の上記両側面に対向する部位とには、挿入体と接続台とを凹凸係合させることにより挿入体を接続台に固定する結合手段が形成されて成るので、組立作業に際してねじや接着剤のような別途の結合手段を必要とせず、組立作業が容易になるという効果がある。
【００４２】
請求項５の発明は、整列部材にはロック溝が形成され、端子台には整列部材が第１の位置に位置するときにロック溝に係合して整列部材を保持するロック突起が形成されて成るので、整列部材を第１の位置に保持することができ、電線を接続した状態で整列部材が端子台から浮き上がるのを防止することができ、その結果、整列部材に外力が作用したり電線に張力が作用することによる端子台からの浮き上がりを防止することができ、電線の接続信頼性が高くなるという効果がある。
【００４３】
請求項６の発明は、整列部材をハウジングに着脱自在に枢着して成るので、整列部材に電線を整列させる際にハウジングから取り外して作業できるため、ハウジングが邪魔になることがなく、整列作業が容易になるという効果がある。
【００４４】
請求項７の発明は、電線を整列させる際に電線を保持する保持手段を整列部材に設けたので、整列部材に電線を整列させた後、端子片に対する接続作業が完了するまでの間、保持手段によって電線を整列部材に保持しておくことができ、電線を手で保持する場合に比べて接続作業が容易になるという効果がある。
請求項８の発明は、整列部材がハウジングに枢着される際に整列部材が正規の状態に枢着されていない場合には整列部材を第１の位置まで移動させることができないようにする保護手段を備えたので、整列部材が正規の状態に枢着されていない場合には、保護手段によって整列部材を第１の位置まで移動させることができず、整列部材の不正な操作や電線の接続不良等が防止できるという効果がある。
【００４５】
請求項９の発明は、整列部材に整列された電線の芯線の延長線上からハウジングに枢着される整列部材の軸部をずらして成るので、整列部材に電線を整列させる際に整列部材の軸部が邪魔にならず、スムーズ且つ容易に整列作業が行えるという効果がある。
【図面の簡単な説明】
【図１】実施形態の動作説明図である。
【図２】同上を示す分解斜視図である。
【図３】同上を示し、（ａ）は側面図、（ｂ）は一部破断した側面図、（ｃ）は一部破断した上面図である。
【図４】同上を示し、（ａ）は電線を接続していない状態の外観斜視図、（ｂ）は電線を接続した状態の外観斜視図である。
【図５】同上における導電体を示し、（ａ）は平面図、（ｂ）は斜視図である。
【図６】同上における整列部材を示し、（ａ）は上面図、（ｂ）は側面図、（ｃ）は下面図、（ｄ）は背面図、（ｅ）は前面図、（ｆ）は同図（ｃ）のＸ−Ｘ線断面矢視図、（ｇ）は同図（ｆ）のＹ−Ｙ線断面矢視図である。
【図７】同上における整列部材による電線の整列作業を説明する図である。
【符号の説明】
２  電線
１０  ボディ
２０  挿入体
２２1 ，２２2   端子台
２３1 ，２３2   軸受台
２４  軸受部
３０  導電体
３１  コンタクト
３２  端子片
３２ａ  圧接スリット
４０1 ，４０2   整列部材
４１  回転軸
４４1 〜４４4   分離通路
４６ａ〜４６ｃ  押さえ部
４７  溝
【図１】
0003541616.tif 000002
【図２】
0003541616.tif 000003
【図３】
0003541616.tif 000004
【図４】
0003541616.tif 000005
【図５】
0003541616.tif 000006
【図６】
0003541616.tif 000007
【図７】
0003541616.tif 000008